(57)【特許請求の範囲】
【請求項１】
広い周波数帯域にわたる高周波信号を可変して発生する高周波信号発生装置であって、
発振周波数を可変して所定周波数を含む第１高周波信号を発生する第１発振手段と、
発振周波数を可変して目的周波数と前記所定周波数の和の周波数である第２高周波信号を発生する第２発振手段と、
前記第１高周波信号と第２高周波信号とを混合し、その差信号をとって目的周波数の高周波信号を出力する混合手段と、
前記第１高周波信号の周波数が前記所定周波数で前記第２高周波信号の周波数が目的周波数と前記所定周波数の和の周波数であるときに妨害が発生または妨害を受ける目的周波数を特定周波数として予め登録すると共に、目的周波数が前記特定周波数である場合には予め妨害を回避できる前記所定周波数と異なる前記第１発振手段の発生する発振周波数と前記特定周波数と前記所定周波数の和と異なる前記第２発振手段の発生する発振周波数を登録したテーブル手段と、
目的周波数が前記テーブル手段に登録されている特定周波数ではないとき前記目的周波数に基づいて前記第１発振手段の発振周波数を前記所定周波数に制御するとともに前記第２発振手段の発振周波数を目的周波数と前記所定周波数の和の周波数に制御し、目的周波数が前記テーブル手段に登録されている特定周波数であるとき前記第１発振手段と第２発振手段それぞれの発振周波数を前記テーブル手段に登録されている前記妨害を回避できる発振周波数に制御する制御手段と、
を有することを特徴とする高周波信号発生装置。
【請求項２】
請求項１記載の高周波信号発生装置において、
前記第２発振手段の発振周波数は、該高周波信号発生装置の周波数帯域より上の周波数であることを特徴とする高周波信号発生装置。
【発明の詳細な説明】
【０００１】
【発明の属する技術分野】
本発明は高周波信号発生装置に関し、特に、広い周波数帯域にわたる高周波信号を可変して発生する高周波信号発生装置に関する。
【０００２】
【従来の技術】
従来、広い周波数帯域にわたる高周波信号を可変して発生する場合には、広い周波数帯域を複数の周波数帯域に分割し、各分割周波数帯域毎にその周波数帯域の信号を直接出力する発振器を備える方法や、周波数を可変できる発振器の出力と周波数が固定の局部発振信号とを混合して目的とする周波数の信号を生成する方法がある。
【０００３】
【発明が解決しようとする課題】
例えば、映像信号や音声信号で変調された周波数９０〜７７０ＭＨｚの高周波信号を出力する装置を構成する場合において、従来技術で、例えばＶＨＦ２チャンネルの映像搬送周波数である周波数９７．２５ＭＨｚの信号を出力しようとした場合、一般的にその整数倍の高調波成分も発生する。通常、低次の高調波ほどそのエネルギーは強く、この例では、２次高調波はＶＨＦ８チャンネル帯域内の１９４．５ＭＨｚに発生する。
【０００４】
この成分はいわゆるスプリアスであり、適宜分割した周波数帯域ごとにフィルタを用いて除去する必要がある。また、当該装置内で発生する不特定の妨害波信号の影響を当該装置自身が受けることがあり、フィルタ等の妨害対策部品の取り付けなどが必要になる。しかしながら、これらのフィルタ等の妨害対策部品による改善は、装置の大型化とコストアップをまねくという問題があった。
【０００５】
本発明は、上記の点に鑑みなされたもので、フィルタ等の妨害対策部品を設ける必要がなく、装置の小型化及びコストの低減が可能な高周波信号発生装置を提供することを目的とする。
【０００６】
【課題を解決するための手段】
請求項１に記載の発明は、広い周波数帯域にわたる高周波信号を可変して発生する高周波信号発生装置であって、
発振周波数を可変して所定周波数を含む第１高周波信号を発生する第１発振手段と、
発振周波数を可変して目的周波数と前記所定周波数の和の周波数である第２高周波信号を発生する第２発振手段と、
前記第１高周波信号と第２高周波信号とを混合し、その差信号をとって目的周波数の高周波信号を出力する混合手段と、
前記第１高周波信号の周波数が前記所定周波数で前記第２高周波信号の周波数が目的周波数と前記所定周波数の和の周波数であるときに妨害が発生または妨害を受ける目的周波数を特定周波数として予め登録すると共に、目的周波数が前記特定周波数である場合には予め妨害を回避できる前記所定周波数と異なる前記第１発振手段の発生する発振周波数と前記特定周波数と前記所定周波数の和と異なる前記第２発振手段の発生する発振周波数を登録したテーブル手段と、
目的周波数が前記テーブル手段に登録されている特定周波数ではないとき前記目的周波数に基づいて前記第１発振手段の発振周波数を前記所定周波数に制御するとともに前記第２発振手段の発振周波数を目的周波数と前記所定周波数の和の周波数に制御し、目的周波数が前記テーブル手段に登録されている特定周波数であるとき前記第１発振手段と第２発振手段それぞれの発振周波数を前記テーブル手段に登録されている前記妨害を回避できる発振周波数に制御する制御手段と、を有することにより、
妨害波の発生や影響を受ける目的周波数と第１，第２発振手段の発振周波数をテーブルに登録することで、第１，第２発振手段の発振周波数を妨害波の発生や影響を受けない値にすることができ、フィルタ等の妨害対策部品を設ける必要がなく、装置の小型化及びコストの低減が可能となる。
【０００７】
【発明の実施の形態】
本発明になる高周波信号発生装置について図面を参照して説明する。
【０００８】
図１は、本発明装置を適用した試験装置の一実施例のブロック図を示す。この試験装置は映像信号で振幅変調され音声信号で周波数変調された高周波信号をＶＨＦｌ〜１２チャンネル、ＵＨＦ１３〜６２チャンネル，Ｃ１３〜６３チャンネルそれぞれに出力する。
【０００９】
同図中、試験装置は搬送波信号発生部１０と映像信号発生部２０と変調器３０と音声信号発生部４０と制御部５０と入力部８０、及びローパスフィルタ６０から大略構成されている。上記搬送波信号発生部１０、映像信号発生部２０、変調器３０、音声信号発生部４０、入力部８０それぞれと制御部５０との間はコントロールバス７０で接続されている。
【００１０】
本発明装置である搬送波信号発生部１０は、周波数帯域９０〜７７０ＭＨｚの正弦波である搬送波信号を発生させものであり、周波数４５０〜８５０ＭＨｚの帯域で発振周波数を可変して発生しミキサ１２に供給する発振器１１と、周波数８９０〜１０５０ＭＨｚの帯域で発振周波数を可変して発生しスイッチ１４を介してミキサ１２に供給する発振器１３と、周波数１０５０〜１２７０ＭＨｚの帯域で発振周波数を可変して発生しスイッチ１６を介してミキサ１２に供給する発振器１５とより構成されている。
【００１１】
ミキサ１２は２つの発振器から供給される高周波信号をへテロダイン方式で混合して、２つの高周波信号の差周波数である新たな周波数の高周波信号（搬送波信号）を生成する。制御部５０は、入力部８０から目的周波数が入力されると、発振器１１，１３，１５それぞれの発振周波数制御、及びスイッチ１４，１６それぞれのオン／オフ制御を行う。ところで、制御部５０は、制御プログラムや特定周波数等を格納したＲＯＭ５１（または不揮発メモリ）を内蔵するマイクロプロセッサで構成されている。
【００１２】
図２は、制御部５０が実行する搬送波信号周波数設定処理の一実施例のフローチャートを示す。同図中、制御部５０は、まずステップＳ１０で入力部８０から入力された目的周波数が４５０〜７７０ＭＨｚの帯域内であるか否かを判別する。目的周波数が４５０〜７７０ＭＨｚの帯域内であれば、ステップＳ１２でスイッチ１４，１６を共に開放して発振器１３，１５の出力する高周波信号がミキサ１２に供給されないように保ち、ステップＳ１４で発振器１１を目的周波数で発振するよう制御する。これによって、発振器１１の出力する高周波信号がミキサ１２を介してそのまま変調器３０に供給される。
【００１３】
一般的に発振器１１で目的周波数の高周波信号を発生させた場合、その整数倍の高調波も発生するが、発振器１１における高調波の周波数は最低で９００ＭＨｚであり、地上波テレビジョン等の伝送で用いる信号の最高周波数７７０ＭＨｚより高いため妨害とならず、また、ローパスフィルタ６０により周波数７７０ＭＨｚ以上の信号成分は除去されるため、試験装置から外部に出力されることはない。
【００１４】
ステップＳ１０において目的周波数が４５０〜７７０ＭＨｚの帯域外であれば、ステップＳ１６で目的周波数が９０〜２５０ＭＨｚの帯域内であるか否かを判別する。目的周波数が９０〜２５０ＭＨｚの帯域内であれば、ステップＳ１８で目的周波数が特定周波数であるか否かを判別する。目的周波数が特定周波数でなければ、ステップＳ２０で発振器１１を固定周波数８００ＭＨｚで発振するよう制御する。また、ステップＳ２２でスイッチ１４を閉成しスイッチ１６を開放して発振器１３の出力する高周波信号がミキサ１２に供給されるようにする。さらに、ステップＳ２４で発振器１３を目的周波数＋８００ＭＨｚ（＝８９０〜１０５０ＭＨｚ）で発振するよう制御する。
【００１５】
これによって、発振器１１の出力する周波数８００ＭＨｚの高周波信号と発振器１１の出力する周波数８９０〜１０５０ＭＨｚの高周波信号がミキサ１２で混合されて周波数９０〜２５０ＭＨｚの目的周波数が生成され、変調器３０に供給される。
【００１６】
発振器１１にて発生する高調波は最低で周波数１６００ＭＨｚ、発振器１３にて発生する高調波は最低で周波数１７８０ＭＨｚであり、いずれも地上波テレビジョン等の伝送で用いる信号の最高周波数７７０ＭＨｚより高いため妨害とならず、また、ローパスフィルタ６０により周波数７７０ＭＨｚ以上の信号成分は除去されるため、試験装置から外部に出力されることはない。
【００１７】
また、例えば目的周波数が２００ＭＨｚの場合、発振器１１の出力する周波数８００ＭＨｚの高周波信号と発振器１３の出力する周波数１０００ＭＨｚの高周波信号がミキサ１２で混合され、差周波数の２００ＭＨｚが目的周波数として出力される。このとき、ミキサ１２では２つの高周波信号の和周波数１８００ＭＨｚも生成されるが、地上波テレビジョン等の伝送で用いる信号の最高周波数７７０ＭＨｚより高いため妨害とならず、また、ローパスフィルタ６０により周波数７７０ＭＨｚ以上の信号成分は除去される。
【００１８】
なお、発振器１１，１３，１５からミキサ１２までの線路は高域周波数となるほど減衰する周波数特性であるため、発振器１１にて発生する周波数１６００ＭＨｚの２次高調波はミキサ１２までの線路で減衰され、上記２次高調波と発振器１３の出力する周波数１０００ＭＨｚの高周波信号がミキサ１２で混合されて発生する周波数６００ＭＨｚの信号レベルはきわめて小さく、妨害を発生するおそれはない。
【００１９】
しかしながら、ミキサ１２で本発明装置の使用目的周波数帯域９０〜７７０ＭＨｚ内に妨害信号を生じる場合があり、また、試験装置内の他回路で発生した不特定の妨害信号の影響を受ける場合があり、それを回避するためにステップＳ１８，Ｓ２６，Ｓ２８を設け、発振器１１，１３の発振周波数を目的周波数に応じてアダプティブに切り換える。
【００２０】
この場合、事前に本発明装置で妨害信号が発生する特定周波数を測定し、また、本発明装置が妨害を受ける特定周波数を測定し、上記特定周波数において妨害を回避できる発振器１１，１３の発振周波数の関係を測定し、特定周波数と発振器１１，１３の発振周波数を予めＲＯＭ５１にテーブルとして登録しておく。
【００２１】
なお、目的周波数が２５０〜４５０ＭＨｚの帯域において妨害を発生または受ける特定周波数と、その妨害を回避できる発振器１１，１５の発振周波数についても同様に測定し、特定周波数と発振器１１，１５の発振周波数を予めＲＯＭ５１にテーブルとして登録しておく。
【００２２】
ステップＳ１８で目的周波数がＲＯＭ５１に登録されている特定周波数であれば、ステップＳ２６に進んでスイッチ１４を閉成しスイッチ１６を開放する。そして、ステップＳ２８でＲＯＭ５１から読み出した発振器１１，１３の発振周波数の登録値で発振器１１，１３が発振するよう制御する。
【００２３】
例えば目的周波数が９０ＭＨｚの場合、発振器１１の発振周波数は８００ＭＨｚで発振器１３の発振周波数は８９０ＭＨｚであるが、制御部５０等の他回路で周波数８９０ＭＨｚ近傍の妨害波を発生している場合、この妨害波の影響をさけるために、ＲＯＭ５１のテーブル内に目的周波数９０ＭＨｚに対応する発振器１１，１３の発振周波数８３０ＭＨｚ，９２０ＭＨｚが登録されている。制御部５０はテーブル内の目的周波数９０ＭＨｚに対応する発振器１１，１３の登録値を読み出し、発振器１１，１３がそれぞれ周波数８３０ＭＨｚ，９２０ＭＨｚで発振するよう制御する。これにより、周波数８９０ＭＨｚ近傍の妨害波の影響を回避することができる。
【００２４】
図２のステップＳ１６において目的周波数が９０〜２５０ＭＨｚの帯域外であれば、ステップＳ３０で目的周波数が２５０〜４５０ＭＨｚの帯域内であるか否かを判別する。目的周波数が２５０〜４５０ＭＨｚの帯域内であれば、ステップＳ３２で目的周波数が特定周波数であるか否かを判別する。目的周波数が特定周波数でなければ、ステップＳ３４で発振器１１を固定周波数８００ＭＨｚで発振するよう制御する。また、ステップＳ３６でスイッチ１４を開放しスイッチ１６を閉成して発振器１５の出力する高周波信号がミキサ１２に供給されるようにする。さらに、ステップＳ３８で発振器１５を目的周波数＋８００ＭＨｚ（＝１０５０〜１２５０ＭＨｚ）で発振するよう制御する。
【００２５】
これによって、発振器１１の出力する周波数８００ＭＨｚの高周波信号と発振器１１の出力する周波数１０５０〜１２５０ＭＨｚの高周波信号がミキサ１２で混合されて周波数２５０〜４５０ＭＨｚの目的周波数が生成され、変調器３０に供給される。
【００２６】
発振器１１にて発生する高調波は最低で周波数１６００ＭＨｚで、発振器１５にて発生する高調波は最低で周波数２１００ＭＨｚであり、いずれも地上波テレビジョン等の伝送で用いる信号の最高周波数７７０ＭＨｚより高いため妨害とならず、また、ローパスフィルタ６０により周波数７７０ＭＨｚ以上の信号成分は除去されるため、試験装置から外部に出力されることはない。
【００２７】
一方、ステップＳ３２で目的周波数がＲＯＭ５１に登録されている特定周波数であれば、ステップＳ４０に進んでスイッチ１４を開放しスイッチ１６を閉成する。そして、ステップＳ４２でＲＯＭ５１から読み出した発振器１１，１５の発振周波数で発振器１１，１５が発振するよう制御する。
【００２８】
このように、妨害波の発生や影響を受ける目的周波数と発振器１１，１３，１５それぞれの発振周波数をＲＯＭ５１のテーブルに登録することで、発振器１１，１３，１５それぞれの発振周波数を妨害波の発生や影響を受けない値にすることができ、フィルタ等の妨害対策部品を設ける必要がなく、装置の小型化及びコストの低減が可能となる。
【００２９】
図１に戻って説明するに、映像信号発生部２０は、パターンジェネレータ２１とペデスタル信号発生部２２とスーパーインポーズ回路２３とから構成されている。パターンジェネレータ２１は、制御部５０からパターンのコード及び表示位置を指定されると、その表示位置にコードで示されたパターンを表示するための輝度信号に搬送色信号が重畳されたパターン映像信号を発生しスーパーインポーズ回路２３に供給する。なお、表示するパターンとしては、文字・数字または任意の形状を表す色と背景色、または塗りつぶし（背景色のみ）等である。また、パターン映像信号の水平及び垂直同期は制御部５０からの制御に同期して行われる。
【００３０】
ペデスタル信号発生部２２は、輝度信号及び搬送色信号が０つまり黒レベルで、バックポーチにカラーバースト信号を持つ水平同期信号と垂直同期信号の同期信号を含む複合映像信号としてのペデスタル信号を発生してスーパーインポーズ回路２３に供給する。このペデスタル信号の水平及び垂直同期は制御部５０からの制御に同期して行われる。
【００３１】
スーパーインポーズ回路２３は、ペデスタル信号発生部２２からのペデスタル信号の映像期間にパターンジェネレータ２１からのパターン映像信号を重畳して変調器３０に供給する。
【００３２】
音声信号発生部４０は、制御部５０からの指示に応じて音声信号を発生して変調器３０に供給する。変調器３０は、搬送波信号をパターンを表示する複合映像信号で振幅変調すると共に、搬送波信号発生部１０から供給される高周波信号をもとに周波数が４．５ＭＨｚ高い音声搬送波を発生し、それを音声信号で周波数変調する。ここで得られた被変調信号はローパスフィルタ６０で周波数７７０ＭＨｚ以上の不要高域成分を減衰されて出力される。
【００３３】
制御部５０の内蔵するＲＯＭ５１には、１画面を複数セルに分割し各セルのセル番号と、各セルで表示するパターンのコードが記憶されている。各セル番号と表示位置は１対１の関係であり、制御部５０は、映像信号発生部２０に対する水平及び垂直同期の制御と同期した画面上のセル番号に従って、ＲＯＭ５１から上記セル番号に対応するパターンのコードを読み出しパターンジェネレータ２１に供給する。
【００３４】
そして、制御部５０は、水平及び垂直同期を基準として、ＲＯＭ５１からパターンのコードを順次読み出してパターンジェネレータ２１に供給し、これにより、パターンジェネレータ２１はコードで示されたパターンを表示するための輝度信号に搬送色信号が重畳されたパターン映像信号を発生する。
【００３５】
なお、発振器１３，１５とスイッチ１４，１６を設ける代わりに、周波数８９０〜１２７０ＭＨｚの帯域で発振周波数を可変してスイッチを介してミキサ１２に供給する発振器を設けても良く、上記実施例に限定されない。
【００３６】
なお、発振器１１が請求項記載の第１発振手段に対応し、発振器１３，１５が第２発振手段に対応し、ミキサ１２が混合手段に対応し、ＲＯＭ５１がテーブル手段に対応し、制御部５０が制御手段に対応する。
【００３７】
【発明の効果】
上述の如く、請求項１に記載の発明は、発振周波数を可変して所定周波数を含む第１高周波信号を発生する第１発振手段と、発振周波数を可変して目的周波数と前記所定周波数の和の周波数である第２高周波信号を発生する第２発振手段と、第１高周波信号と第２高周波信号とを混合し、その差信号をとって目的周波数の高周波信号を出力する混合手段と、第１高周波信号の周波数が前記所定周波数で第２高周波信号の周波数が目的周波数と所定周波数の和の周波数であるときに妨害が発生または妨害を受ける目的周波数を特定周波数として予め登録すると共に、目的周波数が特定周波数である場合には予め妨害を回避できる所定周波数と異なる第１発振手段の発生する発振周波数と特定周波数と所定周波数の和と異なる第２発振手段の発生する発振周波数を登録したテーブル手段と、目的周波数がテーブル手段に登録されている特定周波数ではないとき目的周波数に基づいて第１発振手段の発振周波数を所定周波数に制御するとともに第２発振手段の発振周波数を目的周波数と所定周波数の和の周波数に制御し、目的周波数がテーブル手段に登録されている特定周波数であるとき第１発振手段と第２発振手段それぞれの発振周波数を前記テーブル手段に登録されている前記妨害を回避できる発振周波数に制御する制御手段と、を有することにより、妨害波の発生や影響を受ける目的周波数と第１，第２発振手段の発振周波数をテーブルに登録することで、第１，第２発振手段の発振周波数を妨害波の発生や影響を受けない値にすることができ、フィルタ等の妨害対策部品を設ける必要がなく、装置の小型化及びコストの低減が可能となる。
【図面の簡単な説明】
【図１】本発明装置を適用した試験装置の一実施例のブロック図である。
【図２】搬送波信号周波数設定処理の一実施例のフローチャートである。
【符号の説明】
１０  搬送波信号発生部
１１，１３，１５  発振器
１２  ミキサ
１４，１６  スイッチ
２０  映像信号発生部
２１  パターンジェネレータ
２２  ペデスタル信号発生部
２３  スーパーインポーズ回路
３０  変調器
４０  音声信号発生部
５０  制御部
５１  ＲＯＭ
６０  ローパスフィルタ
７０  コントロールバス
８０  入力部
【図１】
0003811743.tif 000002
【図２】
0003811743.tif 000003